(57)【要約】【課題】キー操作に伴う入力ミスをより確実に防止して、信頼のおける指標値の演算結果を導き出すことができる医療用電卓を提供する。【解決手段】医療用電卓１は、医療に関する所定の指標値を演算するための演算動作モードを起動するための起動キー３ａと、演算動作モードに必要な複数のパラメータを入力するための入力キー４と、演算動作モードに関する情報を表示するための表示手段９と、演算動作モードを制御するための制御手段と、を備える。制御手段は、演算動作モードに必要な複数のパラメータを使用者に案内するためのパラメータ案内情報を順番に表示手段９に表示して、パラメータ案内情報に基づいて入力された複数のパラメータに従って指標値を演算し、その演算結果を表示手段９に表示する。【選択図】図１
0003176165.tif 000002
【実用新案登録請求の範囲】
【請求項１】
医療に関する所定の指標値を演算するための医療用電卓であって、
前記指標値を演算するための演算動作モードを起動するための起動キーと、
前記演算動作モードに必要な複数のパラメータを入力するための入力キーと、
前記演算動作モードに関する情報を表示するための表示手段と、
前記演算動作モードを制御するための制御手段と、を備え、
前記制御手段は、前記演算動作モードに必要な前記複数のパラメータを使用者に案内するためのパラメータ案内情報を順番に前記表示手段に表示して、前記パラメータ案内情報に基づいて入力された前記複数のパラメータに従って前記指標値を演算し、その演算結果を前記表示手段に表示することを特徴とする医療用電卓。
【請求項２】
前記パラメータ案内情報は、前記パラメータの入力範囲を使用者に案内するための入力範囲情報を含み、
前記制御手段は、前記表示手段に前記入力範囲情報を表示し、前記入力範囲を外れた前記パラメータが入力された場合に、前記指標値を演算できないことを示すエラー情報を前記表示手段に表示することを特徴とする請求項１に記載の医療用電卓。
【請求項３】
さらに、レビューキーを備え、
前記制御手段は、前記パラメータ案内情報に基づいて入力された前記複数のパラメータを順次記憶する記憶手段を備え、前記レビューキーを押す毎に前記記憶手段に記憶された入力された前記パラメータを順次前記表示手段に表示することを特徴とする請求項１または２に記載の医療用電卓。
【請求項４】
前記表示手段は、セグメント型またはドットマトリックス型の表示手段からなることを特徴とする請求項１〜３のいずれかに記載の医療用電卓。
【請求項５】
前記表示手段は、画面を２分割して互いに上下に配置された第１表示画面および第２表示画面から構成され、
前記制御手段は、前記パラメータ案内情報を前記第１表示画面に表示し、入力された前記パラメータおよび前記演算結果を前記第２表示画面に表示することを特徴とする請求項１〜４のいずれかに記載の医療用電卓。
【考案の詳細な説明】
【技術分野】
【０００１】
本考案は、医療に関する所定の指標値を演算するための医療用電卓に関する。
【背景技術】
【０００２】
近年、医療診断や臨床検査等の現場において、医療に関する所定の指標値を演算するための医療用電卓が知られている（例えば、特許文献１参照）。
この医療用電卓は、例えばｅＧＦＲ（糸球体濾過量ＧＦＲの推定値）やＢＭＩ（体格指数）等といった様々な指標値を演算するために使用される。この医療用電卓は、電卓本体の表面にそれぞれ設けられたモード切り替えキー（ボタン）、年齢キー、数値等の入力キー、血清クレアチニン値（ｓＣｒ）キーおよび表示手段と、該電卓本体の内部に搭載された制御手段（データ処理部）とを備える。
【０００３】
この医療用電卓では、例えばｅＧＦＲが、以下のような手順で、制御手段によって演算される（特許文献１の図６のＡを参照）。
まず、使用者がモード切り替えキーを押すと、制御手段は、ＧＦＲの推定値を演算するためのモードが実行されることを使用者に案内するためのモード情報（「ＭＤＲＤ」なる文字形状のアイコン）を表示手段に表示する。次に、使用者が年齢キーを押し、さらに、入力キーを押して、年齢の数値を入力する。そして、使用者が血清クレアチニン値キーを押し、さらに、入力キーを押して、血清クレアチニン値の数値を入力する。その後、制御手段は、使用者によって入力された年齢および血清クレアチニン値の各パラメータに従ってｅＧＦＲを演算し、その演算結果を表示手段に表示する。
【０００４】
この医療用電卓によれば、使用者が、モード切り替えキー、年齢キー、血清クレアチニン値キーを押して、さらに、入力キーを押すことによって年齢および血清クレアチニン値の数値等の各パラメータを入力するだけで、簡単に指標値を演算することができる。
【先行技術文献】
【特許文献】
【０００５】
【特許文献１】実用新案登録第３１２８０２１号公報
【考案の概要】
【考案が解決しようとする課題】
【０００６】
しかしながら、特許文献１に記載の医療用電卓では、使用者は、例えばｅＧＦＲを演算する場合にはモード切り替えキー、年齢キー、入力キー、血清クレアチニン値キー、入力キーの順番でキー操作を行うために、指標値毎に異なるキー操作の順番を予め覚えておかなければならない。このため、使用者の負担が大きくなり、使用者がキー操作の順番を間違えたりパラメータを誤入力したりする等の入力ミスを起こし易く、信頼のおける指標値の演算結果を導き出すことができないという問題があった。
また、この医療用電卓では、例えばｅＧＦＲの演算のモードのように、表示手段に表示された「ＭＤＲＤ」なる文字形状のアイコンからなるモード情報は、非常に小さくて見づらいものとなっているため、使用者のさらなる入力ミスを誘発する原因にもなっていた。これは、医療用電卓で一般的に使用される液晶画面から構成される表示手段に、アイコンの文字形状に極めて小さくエッチング加工された２つの電極（１つのセグメントを挟む陽極および陰極）が使用されていることによるものと推察される。
【０００７】
そこで、本考案は、キー操作に伴う入力ミスをより確実に防止して、信頼のおける指標値の演算結果を導き出すことができる医療用電卓を提供することを課題とする。
【課題を解決するための手段】
【０００８】
上記課題を解決するため、本考案は、医療に関する所定の指標値を演算するための医療用電卓であって、前記指標値を演算するための演算動作モードを起動するための起動キーと、前記演算動作モードに必要な複数のパラメータを入力するための入力キーと、前記演算動作モードに関する情報を表示するための表示手段と、前記演算動作モードを制御するための制御手段と、を備え、前記制御手段は、前記演算動作モードに必要な前記複数のパラメータを使用者に案内するためのパラメータ案内情報を順番に前記表示手段に表示して、前記パラメータ案内情報に基づいて入力された前記複数のパラメータに従って前記指標値を演算し、その演算結果を前記表示手段に表示することを特徴とする医療用電卓としたものである。
【０００９】
また、上記構成において、前記パラメータ案内情報は、前記パラメータの入力範囲を使用者に案内するための入力範囲情報を含み、前記制御手段は、前記表示手段に前記入力範囲情報を表示し、前記入力範囲を外れた前記パラメータが入力された場合に、前記指標値を演算できないことを示すエラー情報を前記表示手段に表示することが好ましい。
【００１０】
また、上記構成において、さらに、レビューキーを備え、前記制御手段は、前記パラメータ案内情報に基づいて入力された前記複数のパラメータを順次記憶する記憶手段を備え、前記レビューキーを押す毎に前記記憶手段に記憶された入力された前記パラメータを順次前記表示手段に表示することが好ましい。
【００１１】
また、上記構成において、前記表示手段は、セグメント型またはドットマトリックス型の表示手段からなることが好ましい。
【００１２】
また、上記構成において、前記表示手段は、画面を２分割して互いに上下に配置された第１表示画面および第２表示画面から構成され、前記制御手段は、前記パラメータ案内情報を前記第１表示画面に表示し、入力された前記パラメータおよび前記演算結果を前記第２表示画面に表示することが好ましい。
【考案の効果】
【００１３】
本考案の医療用電卓によれば、使用者がパラメータ案内情報に基づいてパラメータを入力できるので、キー操作に伴う入力ミスがより確実に防止され、信頼のおける指標値の演算結果を導き出すことができる。
【図面の簡単な説明】
【００１４】
【図１】本考案の一実施例に係る医療用電卓の外観を示す上面図である。
【図２】本考案の一実施例に係る医療用電卓のブロック図である。
【図３】本考案の一実施例に係る医療用電卓のキー操作例および画面例を示す図である。
【考案を実施するための形態】
【００１５】
以下、本考案の好ましい実施例について図面を参照しながら説明する。
【００１６】
図１および図２に示すように、この医療用電卓１は、電卓本体２と、起動キー群３と、入力キー群４と、電源キー（「ＯＮ／ＣＡＬ」キー）５と、演算開始キー（「新規」キー）６と、レビューキー（「ＲＥＶＩＥＷ」キー）７と、クリアキー（「Ｃ・ＣＥ」キー）８と、表示手段９と、制御手段１０と、記憶手段１１とを備える。上記の各種キー手段３〜８および表示手段９は、電卓本体２の表面に設けられている。また、制御手段１０は、電卓本体２の内部に搭載されている。
【００１７】
起動キー群３は、医療に関する所定の指標値を演算するための演算動作モードを起動するためのものであって、例えば、第１の起動キー（「ｅＧＦＲ」キー）３ａ、第２の起動キー（「ＬＤＬ・ｎｏｎ−ＨＤＬ」キー）３ｂ、および第３の起動キー（「ＢＭＩ」キー）３ｃを含む。使用者が第１〜第３の起動キー３ａ〜３ｃをそれぞれ押すことによって、指標値ｅＧＦＲ（糸球体濾過量ＧＦＲの推定値）、指標値ＬＤＬ（低比重リポタンパク質コレステロール値）・ｎｏｎ−ＨＤＬ（非高比重リポタンパク質コレステロール値）、および指標値ＢＭＩ（体格指数）を演算するための各演算動作モードが起動される。
【００１８】
入力キー群４は、演算動作モードに必要な複数のパラメータを入力するためのものであって、例えば、数値を入力するための数値キー、小数点を入力するための小数点キー、性別を入力するための性別キー（「男／女」キー）４ｂ、パラメータの入力を決定するための決定キー（「＝／ＯＫ」キー）４ａ、および四則演算キーを含む。
【００１９】
電源キー５は、医療用電卓１の電源をオンオフするためのものである。演算開始キー６は、演算動作モードの最初からの操作を可能にするためのものである。レビューキー７は、演算動作モードにおいて使用者によって入力されたパラメータの値等の再確認や修正を行うためのものであり、詳細な内容は後述する。クリアキー８は、入力されたパラメータの値等を消去するためのものである。
【００２０】
表示手段９は、演算動作モードに関する情報を表示する例えば液晶画面からなる。表示手段９は、図３に示すような画面を２分割して互いに上下に配置された第１表示画面９ａおよび第２表示画面９ｂから構成され、例えばセグメント型の液晶画面からなる。また、表示手段９は、後述するようなパラメータ案内情報を表示するために、少なくとも３つ以上の電極を使用している。
【００２１】
制御手段１０は、上記キー手段３〜８および表示手段９と接続されており、起動キー群３のキー操作によって選択された所定の指標値の演算動作モードを制御する例えば中央演算処理装置（ＣＰＵ）からなる。また、制御手段１０は、例えばＲＡＭやＲＯＭ等のメモリからなる記憶手段１１を備えている。
記憶手段１１には、各演算動作モードにおける指標値を演算するための演算式情報、演算動作モードに必要な複数のパラメータを使用者に案内するためのパラメータ案内情報、および表示手段９に表示すべき他の表示情報（例えばエラー情報）等が記憶されている。
【００２２】
次に、この医療用電卓１の動作について、所定の指標値であるｅＧＦＲを演算する場合を例にとって説明する。
【００２３】
まず、使用者が電源キー５を押すと、制御手段９は、医療用電卓１の電源をオフ状態からオン状態にする。
次に、図３（Ａ）に示すように、使用者が演算開始キー６を押すと、制御手段１０は、ｅＧＦＲの演算が開始されることを示す情報（「ＭＥＤＩＣＡＬ  ＣＡＬ  ＰＬＳ  ＳＥＬＥＣＴ」）を表示手段９の第１表示画面９ａおよび第２表示画面９ｂに表示する。
【００２４】
次に、図３（Ｂ）に示すように、使用者が第１の起動キー３ａを押すと、制御手段１０は、ｅＧＦＲの演算動作モードを起動し、該演算動作モードに必要な１つ目のパラメータ（ＳＣＲ：血清クレアチニン値）を使用者に案内するための１つ目のパラメータ案内情報を表示手段９に表示する。このパラメータ案内情報には、「ＳＣＲ」なるパラメータ名に関する情報、「ＭＧ／ＤＬ」なる単位に関する情報、および「０．３０〜５．００」なるパラメータの入力範囲に関する入力範囲情報が含まれる。制御手段１０は、これらのパラメータ名および単位に関する各情報を第１表示画面９ａに表示し、この入力範囲情報を第２表示画面９ｂに表示する。さらに、制御手段１０は、後述する入力すべきパラメータが表示される第２表示画面９ｂに「＿」なるカーソルを点滅表示する。
【００２５】
次に、図３（Ｃ）に示すように、例えば測定装置等で測定されたＳＣＲを入力するために、使用者が入力キー群４の数値キーおよび小数点キーを押し、パラメータである例えばＳＣＲ＝２．５［ｍｇ／ｄｌ］を入力すると、制御手段１０は、該入力されたパラメータを第２表示画面９ｂに表示する。
【００２６】
次に、図３（Ｄ）に示すように、使用者が入力キー群４の決定キー４ａを押すと、制御手段１０は、まず、１つ目のパラメータ案内情報に基づいて使用者によって入力されたパラメータが入力範囲に含まれているかを判定する。このパラメータの数値（２．５）は入力範囲（０．３０〜５．００）内にあるため、制御手段１０は、次に、演算動作モードに必要な２つ目のパラメータ（年齢）を使用者に案内するための２つ目のパラメータ案内情報を表示手段９に表示するとともに、使用者によって入力された１つ目のパラメータを記憶手段１１に記憶する。２つ目のパラメータ案内情報には、「ＡＧＥ」なるパラメータ名に関する情報および「１８〜１００」なるパラメータの入力範囲に関する入力範囲情報が含まれる。制御手段１０は、このパラメータ名に関する情報を第１表示画面９ａに表示し、この入力範囲情報を第２表示画面９ｂに表示し、さらに、「＿」なるカーソルを第２表示画面９ｂに点滅表示する。
なお、入力範囲を外れたパラメータ（例えば、ＳＣＲ＝１０）を使用者が入力して決定キー４ａを押した場合、制御手段１０は、図３（Ｉ）に示すように、ｅＧＦＲを演算できないことを示すエラー情報（「ＥＲＲＯＲ」なる文字情報）を表示手段９に表示する。
【００２７】
次に、図３（Ｅ）に示すように、年齢を入力するために、使用者が入力キー群４の数値キーを押して、パラメータである例えば年齢＝３０［才］を入力すると、制御手段１０は、該入力されたパラメータを、表示手段９の第２表示画面９ｂに表示する。
【００２８】
次に、図３（Ｆ）に示すように、使用者が決定キー４ａを押すと、制御手段１０は、まず、２つ目のパラメータ案内情報に基づいて使用者によって入力されたパラメータが入力範囲に含まれているかを判定する。このパラメータの数値（３０）は入力範囲（１８〜１００）内にあるため、制御手段１０は、次に、演算動作モードに必要な３つ目のパラメータ（性別）を使用者に案内するための３つ目のパラメータ案内情報を表示手段９に表示するとともに、入力された２つ目のパラメータを記憶手段１１に記憶する。３つ目のパラメータ案内情報には、「ＧＥＮＤＥＲ」なるパラメータ名に関する情報および「Ｍ−Ｆ」なるパラメータの入力範囲に関する入力範囲情報が含まれる。制御手段１０は、このパラメータ名に関する情報を第１表示画面９ａに表示し、この入力範囲情報を第２表示画面９ｂに表示し、さらに、「＿」なるカーソルを第２表示画面９ｂに点滅表示する。
なお、入力範囲を外れた年齢や性別のパラメータを使用者が入力して決定キー４ａを押した場合も、同様に、制御手段１０は、図３（Ｉ）に示すように、エラー情報を表示手段９に表示する。
【００２９】
次に、図３（Ｇ）に示すように、性別を入力するために、使用者が性別キー４ｂを押して、パラメータである例えば性別＝男性（Ｍ）を入力すると、制御手段１０は、該入力されたパラメータを、表示手段９の第２表示画面９ｂに表示する。
【００３０】
最後に、図３（Ｈ）に示すように、使用者が決定キー４ａを押すと、制御手段１０は、使用者によって入力された３つ目のパラメータを記憶手段１１に記憶するとともに、該記憶手段１１に記憶されたｅＧＦＲの演算式情報を用いて、入力された各パラメータに従ってｅＧＦＲを演算し、その演算結果（２．６８［ＭＧ／ＭＩＮ／１．７３Ｍ２］なる文字情報）を表示手段９に点滅表示する。なお、ｅＧＦＲの演算式情報の演算式は、男性の場合、ｅＧＦＲ＝１９４×ＳＣＲ［ｍｇ／ｄｌ］−１．０９４×年齢−０．２８７、女性の場合、ｅＧＦＲ＝０．７３９×（男性の場合のｅＧＦＲ）である。
【００３１】
なお、ｅＧＦＲの演算が完了した後、使用者がレビューキー７を押す毎に、制御手段１０は、記憶手段１１に順次記憶されたパラメータ（入力された性別、年齢およびＳＣＲ）を該記憶手段１１から読み出して、図３（Ｇ）、（Ｅ）および（Ｃ）に示す画面で、順次表示手段９に表示する。
【００３２】
この医療用電卓１によれば、表示手段９に順番に表示された各パラメータ案内情報（入力範囲情報を含む）に基づいて使用者がパラメータを入力するだけで、指標値が演算されるようになっているので、キー操作に伴う入力ミスを確実に防止することができる。
また、入力範囲を外れたパラメータが入力された場合には、指標値を演算できないことを示すエラー情報が表示手段９に表示されるようになっているので、パラメータの誤入力も防ぐことができる。
また、使用者がレビューキー７を押す毎に、使用者によって入力された各パラメータを表示手段９で再確認できるようになっているので、より信頼性が向上する。
さらに、表示手段９における各セグメントの表示によって、パラメータ案内情報が大きく表示され、従来技術のような非常に小さくて見づらいアイコンが表示手段９に表示されることもないので、使用者のさらなる入力ミスの誘発も防止できる。
【００３３】
以上、本考案の好ましい実施形態を説明したが、本考案の構成はこれらの実施形態に限定されるものではない。
【００３４】
上記実施例においては、第１の起動キー３ａによって起動されたｅＧＦＲの演算動作モードを例にとって説明したが、第２または第３の起動キー３ｂ、３ｃによって起動された他の指標値の演算動作モードにおいても、上記と同様の手順で、所定の指標値の演算結果が導き出されることは言うまでもない。
【００３５】
キー手段３〜８および表示手段９は、上記実施例のものに限定されるものではない。
例えば、第１〜第３の起動キー３ａ〜３ｃ以外の他の起動キーが電卓本体２に設けられていてもよいし、数値や性別を入力するキー以外の他のパラメータを入力するキーが電卓本体２に設けられていてもよい。
例えば、表示手段９は、セグメント型に限定されるものではなくドットマトリックス型のものであってもよい。また、表示手段９は、第１表示画面９ａおよび第２表示画面９ｂに限定されるものではなく、様々な表示画面を有していてもよい。
【００３６】
また、上記実施例においては、制御手段１０は、パラメータ案内情報を少なくとも第１表示画面９ａに表示し、入力されたパラメータおよび演算結果を第２表示画面９ｂに表示するように構成されていたが、その表示形態は何ら限定されるものではない。
さらに、上記実施例に係る医療用電卓１は、例えば「＿」なるカーソルや演算結果が点滅表示されて、入力すべきパラメータの表示位置や演算結果等を使用者に認識させ易いように構成されているが、点滅表示に限定されるものではなく、色、明度、点滅周期およびこれらの組み合わせ等による様々な表示が行われてもよい。
【符号の説明】
【００３７】
１  医療用電卓
２  電卓本体
３  起動キー群（起動キー）
３ａ〜３ｃ  第１〜第３の起動キー
４  入力キー群（入力キー）
４ａ  決定キー
４ｂ  性別キー
５  電源キー
６  演算開始キー
７  レビューキー
８  クリアキー
９  表示手段
９ａ、９ｂ  第１表示画面、第２表示画面
１０  制御手段
１１  記憶手段
【図１】
0003176165.tif 000003
【図２】
0003176165.tif 000004
【図３】
0003176165.tif 000005